(57)【要約】      （修正有）【課題】品格を保持した様態であると共に、夜間の視認性が良いお守り袋を提供する。【解決手段】お守りＡは、お守り袋１ａと、お守り袋１ａに取り付けられた結び紐２を備える。お守り袋１ａは、平袋状の袋体１０ａと、袋体１０ａの表面に設けられた図柄１１ａを有する。袋体１０ａは、ポリエステル糸で織られた織物によって形成され、その表面部１０１ａに共通表示部１０２が設けられ、その裏面部に任意表示部が設けられている。図柄１１ａは、基体となるポリエステル糸にガラスビーズを分散し、ガラスビーズの一部がポリエステル糸に埋まるように固着され、ポリエステル糸とガラスビーズの間にアルミ蒸着層を有する再帰性反射糸を用いて、袋体１０ａを構成する織物に刺繍を施すことで設けられており、菱形枠内に花菱を収めた連続模様である。【選択図】図１
0003202264.tif 000002
【実用新案登録請求の範囲】
【請求項１】
少なくとも表層が、入射方向に対して逆方向に光を反射する構造のガラスビーズを含んだ再帰性反射糸を用いて織られた織物によって形成された袋体を備える
お守り袋。
【請求項２】
前記袋体の表面に、前記再帰性反射糸を用いて形成された図柄または模様を備える
請求項１記載のお守り袋。
【請求項３】
袋体と、
該袋体の表面に、入射方向に対して逆方向に光を反射する構造のガラスビーズを含んだ再帰性反射糸を用いて形成された図柄または模様とを備える
お守り袋。
【請求項４】
前記袋体が平袋状であり、同袋体の一方の面には、共通する文字または図柄が表された共通表示部が設けられており、同袋体の他方の面には、発注先から指定された社寺名を表示可能な領域である任意表示部が設けられている
請求項１、請求項２または請求項３に記載のお守り袋。
【考案の詳細な説明】
【技術分野】
【０００１】
本考案は、お守り袋に関するものである。更に詳しくは、品格を保持した様態であると共に、夜間の視認性が良いものに関する。
【背景技術】
【０００２】
従来から、歩行者の夜間の視認性向上を図るべく、光反射材や蛍光材を用いた衣服、鞄、タスキやベルトといった着用可能な物が提案されている。しかし、光反射材を用いた衣服等は、昼間に着用すると目立ち過ぎ、夜まで着用しないで持ち歩くと嵩張るという問題があるため、この種の交通安全関連商品としては小型のキーホルダー等が好まれており、その一種として、例えば、下記特許文献１に記載されたお守りが提案されている。
【０００３】
図６に示すように、特許文献１に記載されたお守り９は、表面９１の一部または全部に反射体を有するものであり、暗いところでも確実に認識され、お守りを保持する者にとって、お守りの存在感が体感できると共にそのご利益が得られ、また、お守りの遠距離からの視認性がよいため、交通事故の防止等にも役立つ、とされている。
【先行技術文献】
【特許文献】
【０００４】
【特許文献１】実用新案登録第３１６８２２４号公報
【考案の概要】
【考案が解決しようとする課題】
【０００５】
しかしながら、上記特許文献１記載のお守り９は、表面９１の構成について、「本実施形態では反射体として、いわゆるリフレクターを用いたが、その他のあらゆる反射体を使用することができる。例えば、全体がビニール等の一体成型で製作されたもの、または芯材の表面全体を反射体で覆って製作したもの、あるいは表面に蛍光塗料を塗布したもの等を含むものとする（特許文献１明細書段落〔００１２〕）」と開示しているが、このような構成のものである場合、昼間には目立ち過ぎ、更に、ビニールや表面に蛍光塗料を塗布したものであれば、通常のお守りと比較して質感が良くなく、ともすれば見る者に下品な印象をも与えかねない。
【０００６】
特に、歴史のある社寺からすれば、自らの社寺のお守りが交通安全に寄与し、社会貢献に資することに吝かではないものの、ビニール等の安っぽい質感のものや、社寺の品格を損なうようなデザインのものは採用しづらい。
【０００７】
本考案は、以上の点を鑑みて創案されたものであり、品格を保持した様態であると共に、夜間の視認性が良いお守り袋を提供することを目的とするものである。
【課題を解決するための手段】
【０００８】
上記の目的を達成するために本考案のお守り袋は、少なくとも表層が、入射方向に対して逆方向に光を反射する構造のガラスビーズを含んだ再帰性反射糸を用いて織られた織物によって形成された袋体を備える。
【０００９】
ここで、前述のお守り袋は、袋体に光が当たると、袋体の表層を構成する再帰性反射糸に含まれるガラスビーズが入射方向に対して逆方向に光を反射するので、例えば、車等のヘッドライトの照射を受けると、車のドライバー等からはお守り袋が光るように見える。つまり、このお守り袋を身につけるか、身の回り品等に取り付けた者（以下「お守り袋の使用者」という）は、車のドライバー等から見た夜間の視認性が向上し、ドライバー等から早期にその存在が認識される。このようにして、前述のお守り袋は、お守り袋の使用者が交通事故に遭う危険性を低減させることができる。
【００１０】
加えて、このお守り袋は、見た目は、織物でつくられた伝統的なお守り袋と遜色ないため、表面に蛍光塗料を塗布したようなお守り袋や、プラスチック素材で形成されたリフレクター等を取り付けたようなお守り袋と比較して、見た目の質感が良く、品格を感じさせるものとなる。
【００１１】
なお、袋体は、通常のお守り袋と同様に、紙や木等で作られた御札、霊符、呪符、社寺縁のもの（例えば、乾燥した植物の一部や石）等を収めることができる。
【００１２】
また、前記袋体の表面に、前記再帰性反射糸を用いて形成された図柄または模様を備える場合には、図柄または模様の部分についても、同部分に含まれるガラスビーズが入射方向に対して逆方向に光を反射する。再帰性反射糸に用いて袋体に図柄または模様を刺すことにより施された刺繍である図柄または模様と袋体の両方が、光を反射するので、例えば、夜間におけるお守り袋の使用者について周りからの視認性が更に向上する。
【００１３】
加えて、このお守り袋は、見た目は、刺繍による図柄または模様を備える伝統的なお守り袋と遜色ないため、品格を感じさせるものとすることができ、表面に蛍光塗料を塗布したようなお守り袋や、プラスチック素材で形成されたリフレクター等を取り付けたようなお守り袋と比較して、図柄または模様の存在も相まって、良好な質感および品格を感じさせるものとなる。
【００１４】
上記の目的を達成するために本考案のお守り袋は、袋体と、該袋体の表面に、入射方向に対して逆方向に光を反射する構造のガラスビーズを含んだ再帰性反射糸を用いて形成された図柄または模様とを備える。
【００１５】
ここで、前述のお守り袋は、図柄または模様に光が当たると、図柄または模様を構成する再帰性反射糸に含まれるガラスビーズが入射方向に対して逆方向に光を反射するので、例えば、車等のヘッドライトの照射を受けると、車のドライバー等からはお守り袋の図柄または模様部分が光るように見える。つまり、お守り袋の使用者は、車のドライバー等から見た夜間の視認性が向上し、ドライバー等から早期にその存在が認識される。このようにして、前述のお守り袋は、お守り袋の使用者が交通事故に遭う危険性を低減させることができる。
【００１６】
袋体は、通常のお守り袋と同様に、紙や木等で作られた御札、霊符、呪符、社寺縁のもの（例えば、植物の一部や石）等を収めることができる。なお、袋体は、例えば、天然繊維あるいは化学繊維のいずれで形成された織物によるものであってもよい。
【００１７】
図柄または模様は、再帰性反射糸に含まれるガラスビーズが入射方向に対して逆方向に光を反射する。この結果、例えば、夜間におけるお守り袋の使用者の視認性が向上し、ドライバー等から早期にその存在が認識される。このようにして、前述のお守り袋は、お守り袋の使用者が交通事故に遭う危険性を低減させることができる。
【００１８】
加えて、このお守り袋は、見た目が刺繍による図柄または模様を備える伝統的なお守り袋と遜色ないため、品格を感じさせるものとすることができ、表面に蛍光塗料を塗布したようなお守り袋や、プラスチック素材で形成されたリフレクター等を取り付けたようなお守り袋と比較して、見た目の質感が良い。
【００１９】
また、前記袋体が平袋状であり、同袋体の一方の面には、共通する文字または図柄が表された共通表示部が設けられており、同袋体の他方の面には、発注先から指定された社寺名を表示可能な領域である任意表示部が設けられている場合には、社寺毎に専用のお守り袋を製造せずに、共通の態様のお守り袋を製造するだけで済む。
【００２０】
詳述すると、一般的なお守り袋では、例えば「御守」等の共通する文字または図柄を表示しないことはあまりないので、本考案に係るお守り袋では、共通する文字等を共通の表示部に表示したものを予め半完成品としてある程度多く製造して在庫させておき、社寺毎の表示は発注に合わせて適宜表示するようにした。その結果、在庫のお守り袋（半完成品）に社寺名等を表示するのみでお守り袋を完成品とすることができるので、受注者は迅速な納品を行うことが可能となる。
【００２１】
ここで、共通表示部に表示される共通する文字とは、お守り袋の表側に表示される一般的な文字、例えば、御守、開運、招福、厄除、除災、祈願、良縁、家内安全、交通安全、商売繁盛、安産祈願、学業成就、合格祈願、健康祈願、無病息災、安全祈願、金運向上、恋愛成就等の文字等から選択されたいずれか一つ、またはこれらの組み合わせを意味する。また、共通表示部に表示される共通する図柄とは、系列の分社あるいは分寺に共通する社寺の紋等の図柄等を意味する。
【００２２】
袋体の他方の面に設けられた領域は、発注先から指定された社寺名や、社寺の紋等の図柄を表示することができる。
【００２３】
また、受注後に、他方の面に設けられた領域に社寺等の発注先から指定された社寺名を表示することができるため、社寺にとっては、単なる汎用品ではない社寺専用のお守りを得ることができる。
【００２４】
本明細書および本実用新案登録請求の範囲において、「入射方向に対して逆方向」の表現は、光の反射方向と入射方向が同一軸線である場合のほか、光が反射する方向が入射する方向と略同じである場合も含む意味で使用している。
【考案の効果】
【００２５】
本考案によれば、品格を保持した様態であると共に、夜間の視認性が良いお守り袋を提供することができる。
【図面の簡単な説明】
【００２６】
【図１】本考案のお守り袋を正面側から表した斜視説明図である。
【図２】図１に示すお守り袋の背面図である。
【図３】再帰性反射糸の拡大視説明図である。
【図４】お守り袋の変形例１であり、（ａ）は変形例１の正面図、（ｂ）は変形例１の背面図である。
【図５】お守り袋の変形例２であり、（ａ）は変形例２の正面図、（ｂ）は変形例２の背面図である。
【図６】特許文献１記載のお守りの正面図である。
【考案を実施するための形態】
【００２７】
図１ないし図５を参照して、本考案の実施の形態を更に詳細に説明する。なお、各図における符号は、煩雑さを軽減し理解を容易にする範囲内で付している。
【００２８】
図１および図２を参照する。お守りＡは、お守り袋１ａと、お守り袋１ａに取り付けられた結び紐２を備える。お守り袋１ａは、平袋状の袋体１０ａと、袋体１０ａの表面に設けられた図柄１１ａを有する。袋体１０ａは、ポリエステル糸で織られた織物によって形成されている。図柄１１ａは、再帰性反射糸１５を用いて、袋体１０ａを構成する織物に刺繍を施すことで設けられており、菱形枠内に花菱を収めた連続模様である。
【００２９】
図３に示す再帰性反射糸１５は、基体となるポリエステル糸１５１にガラスビーズ１５２を分散し、ガラスビーズ１５２の一部がポリエステル糸１５１に埋まるように固着されたものである。なお、再帰性反射糸１５は、ポリエステル糸１５１とガラスビーズ１５２の間に、アルミ蒸着層１５３が設けられており、同構成を有することにより、受けた光の入射方向に対して逆方向に光を反射する構造となる。
【００３０】
袋体１０ａの一方の面である表面部１０１ａには、無地の枠に囲まれた領域である共通表示部１０２が設けられている。共通表示部１０２には、前述の「共通する文字」に該当する「御守」の文字が刺繍されている（図１参照）。
【００３１】
袋体１０ａの他方の面である裏面部１０３ａには、無地の枠に囲まれた領域である任意表示部１０４が設けられている（図２参照）。任意表示部１０４は、前述の「発注先から指定された社寺名を表示可能な領域」に該当するものであり、例えば、「○○神社」、「○○寺」等の文字が印刷、刺繍等される。
【００３２】
なお、本実施の形態において、共通表示部１０２および任意表示部１０４は、無地の枠に囲まれた領域であるが、これに限定するものではなく、例えば、特に枠によって領域を区切ることなく、袋体１０ａの布地に共通する文字あるいは社寺名を直接印刷または刺繍してもよく、このような共通する文字等については、共通表示部１０２または任意表示部１０４のいずれか一方の面または両面に施してもよい。
【００３３】
袋体１０ａは、
（１）ポリエステル糸で織られた織物に、再帰性反射糸１５で刺繍を施して図柄１１ａを設け、
（２）図柄１１ａが設けられた織物を、図柄１１ａが内側となるよう畳み、開口部１０１が１つ形成された形状（平袋状）の袋状物になるように縫製し、
（３）縫製した後、開口部１０１を通じて裏返し、図柄１１ａが表に出るようにし、
（４）開口部１０１近傍の角部（２箇所）を、袋状物の内側領域方向に入り込むように谷折りし、開口部１０１近傍が台形状になるようにする、
ことによって作られる。
【００３４】
加えて、
（５）開口部１０１近傍２箇所に、袋体１０ａの表裏方向に貫通した孔（図示、符号省略）を設け、
（６）袋体１０ａ内に、紙で作られた御札等（図示、符号省略）を入れ、
（７）袋体１０ａに設けられた孔に、結び紐２を通して端部を結ぶ、
ことにより、お守りＡが完成する。
【００３５】
（作  用)
お守りＡの作用について説明する。
前述の構成を備えるお守り袋１は、織物でつくられた伝統的なお守り袋と見た目は遜色なく、品格を保持し、見た目の質感が良い様態である。つまり、お守り袋１は、歴史のある社寺の品格を損なうようなデザインではないため、このような社寺としては、その提供品としてお守り袋１を採用しやすい。なお、お守り袋１は、採用した社寺の御札等をお守り袋１に収納することで、当該社寺のためのお守りＡとなる。
【００３６】
一方で、社寺に参拝し、お守りＡの提供を受ける参拝者（後日、お守りＡの使用者となる者）にとっても、特異なデザインのものよりも、伝統的なデザインのお守りＡの方が受け入れやすいと思われる。なお、お守りＡの提供を受けた者は、お守り袋Ａを身につけ、あるいは身の回り品等に付けることで、お守り袋の使用者となる。
【００３７】
お守りＡの使用者が夜間屋外で行動したときに、例えば、車等のヘッドライトの照射を受けると、車のドライバー等からはお守りＡが光るように見える。これは、お守りＡに光が当たると、図柄１１ａを構成する再帰性反射糸１５に含まれるガラスビーズが入射方向に対して逆方向に光を反射するためである。
【００３８】
このように、お守りＡの使用者は、車のドライバー等から見た夜間の視認性が向上し、ドライバー等から早期にその存在が認識される。このようにして、お守り袋Ａは、お守り袋Ａの使用者が交通事故に遭う危険性を低減させることができる。
【００３９】
（変形例１）
図４を参照して、お守りＢについて説明する。なお、お守りＢは、前述したお守りＡと逆の構成（袋体が再帰性反射糸で織られ、図柄の刺繍にポリエステル糸を使用している）である点のみ相違する。また、前述したお守りＡと共通する構成および作用については、その説明を省略し、共通する部分には同じ符号を付している。
【００４０】
お守りＢは、お守り袋１ｂと、お守り袋１ｂに取り付けられた結び紐２を備える。お守り袋１ｂは、平袋状の袋体１０ｂと、袋体１０ｂの表面に設けられた図柄１１ｂを有する。袋体１０ｂは、再帰性反射糸１５で織られた織物によって形成されている。図柄１１ｂは、ポリエステル糸を用いて、袋体１０ｂを構成する織物に刺繍を施すことで設けられており、雲と桜花からなる連続模様である。
【００４１】
袋体１０ｂの一方の面である表面部１０１ｂには、無地の枠に囲まれた領域である共通表示部１０２が設けられ、「御守」の文字が刺繍されている。袋体１０ｂの他方の面である裏面部１０３ｂには、無地の枠に囲まれた領域である任意表示部１０４が設けられている。
【００４２】
（作  用）
お守りＢの使用者が夜間屋外で行動したときに、例えば、車等のヘッドライトの照射を受けると、車のドライバー等からはお守りＢが光るように見える。これは、お守りＢに光が当たると、袋体１０ｂの生地部分を構成する再帰性反射糸１５に含まれるガラスビーズが入射方向に対して逆方向に光を反射するためである。このように、お守りＢの使用者は、車のドライバー等から見た夜間の視認性が向上し、ドライバー等から早期にその存在が認識されることで、交通事故に遭う危険性が低減することとなる。
【００４３】
（変形例２）
図５を参照して、お守りＣについて説明する。なお、お守りＣは、袋体１０ｃと図柄１１ｃの刺繍に再帰性反射糸１５を使用している構成であり、前述したお守りＡまたは御守りＢと共通する構成および作用については、その説明を省略し、共通する部分には同じ符号を付している。
【００４４】
お守りＣは、お守り袋１ｃと、お守り袋１ｃに取り付けられた結び紐２を備える。お守り袋１ｃは、平袋状の袋体１０ｃと、袋体１０ｃの表面に設けられた図柄１１ｃを備える。袋体１０ｃは、再帰性反射糸１５で織られた織物によって形成されている。図柄１１ｃは、再帰性反射糸１５を用いて、袋体１０ｃを構成する織物に刺繍を施すことで設けられており、唐草柄からなる連続模様である。
【００４５】
袋体１０ｃの一方の面である表面部１０１ｃには、無地の枠に囲まれた領域である共通表示部１０２が設けられ、「御守」の文字が刺繍されている。袋体１０ｃの他方の面である裏面部１０３ｃには、無地の枠に囲まれた領域である任意表示部１０４が設けられている。
【００４６】
（作  用）
お守りＣの使用者が夜間屋外で行動する場合、例えば、車等のヘッドライトの照射を受けると、車のドライバー等からはお守りＣが光るように見える。これは、お守りＣに光が当たると、袋体１０ｃと図柄１１ｃの双方を構成する再帰性反射糸１５に含まれるガラスビーズが入射方向に対して逆方向に光を反射するためである。このように、お守りＣの使用者は、車のドライバー等から見た夜間の視認性が更に向上し、ドライバー等から早期にその存在が認識される。このようにして、お守り袋Ｃは、お守り袋Ｃの使用者が交通事故に遭う危険性を低減させることができる。
【００４７】
本実施の形態において、図柄または模様として、菱形枠内に花菱を収めた連続模様、雲と桜花からなる連続模様、唐草柄からなる連続模様等が挙げられるが、これに限定するものではなく、例えば、七宝模様、花柄模様、珊瑚模様、市松模様、社寺の紋様等、図柄または模様等であってもよい。
【００４８】
お守りＡ、お守りＢまたはお守りＣを製造する者は、例えば、製造時には、共通の態様のお守り袋１ａ、１ｂまたは１ｃを製造するのみであるため、社寺名が入った専用のお守り袋の在庫を抱えずに済む。換言すると、社寺毎に専用のお守り袋を製造せずに、共通の態様のお守り袋を製造するだけで済む。
【００４９】
一方、お守りＡ、お守りＢまたはお守りＣは、大部分の社寺に対応可能な「御守」の文字が共通表示部１０２に表示されているのみであるため、ある程度多く製造して在庫させたとしても社寺を問わず対応可能であり、発注があれば迅速に納品可能となる。
【００５０】
更に、受注後に、任意表示部１０４に社寺等の発注先から指定された社寺名を表示することができ、社寺にとっては、単なる汎用品ではない社寺専用のお守りを迅速に得ることができる。
【００５１】
なお、受注後、任意表示部１０４に社寺名を表示するのみで、その社寺のお守りを納品可能な状態にできるので、製造者としては、少数ロットで社寺名の入ったお守りの受注でもコスト抑制が可能となると共に、発注者としては、従来よりも安価で社寺名の入ったお守りの納品を早期に受けることが可能となるので、双方に利益のある良好な関係を築くことができる。
【００５２】
本明細書および本実用新案登録請求の範囲で使用している用語と表現は、あくまでも説明上のものであって、なんら限定的なものではなく、本明細書および本実用新案登録請求の範囲に記述された特徴およびその一部と等価の用語や表現を除外する意図はない。また、本考案の技術思想の範囲内で、種々の変形態様が可能であるということは言うまでもない。
【符号の説明】
【００５３】
Ａ    お守り
１ａ    お守り袋１ａ
１０ａ    袋体
１０１    開口部
１１ａ    図柄
１０１ａ    表面部
１０２    共通表示部
１０３ａ    裏面部
１０４    任意表示部
１５    再帰性反射糸
１５１    ポリエステル糸
１５２    ガラスビーズ
１５３    アルミ蒸着層
２    結び紐
Ｂ    お守り
１ｂ    お守り袋
１０ｂ    袋体
１１ｂ    図柄
１０１ｂ    表面部
１０３ｂ    裏面部
Ｃ    お守り
１ｃ    お守り袋
１０ｃ    袋体
１１ｃ    図柄
１０１ｃ    表面部
１０３ｃ    裏面部
９    お守り
９１    表面
【図１】
0003202264.tif 000003
【図２】
0003202264.tif 000004
【図３】
0003202264.tif 000005
【図４】
0003202264.tif 000006
【図５】
0003202264.tif 000007
【図６】
0003202264.tif 000008